(57)【特許請求の範囲】
【請求項１】
写真を貼り付けたシートを複数収納した収納部から１枚ずつ取り出すシート自動給送方法において、前記収納部に写真を下向きとなるようにシートを収納し、このシートの写真が貼り付けられていない面を吸引して取り出すことを特徴とするシート自動給送方法。
【請求項２】
前記シートの写真が貼り付けられていない面で、かつ写真を貼り付けた部分を吸引して取り出すことを特徴とする請求項１記載のシート自動給送方法。
【請求項３】
前記シートの写真が貼り付けられていない面で、かつ写真を貼り付けた部分を吸引して取り出し、このシートを吸引して取り出す給送中に、写真が貼り付けられていない面で、かつ写真を貼り付けた部分以外の部分を吸引することを特徴とする請求項１記載のシート自動給送方法。
【請求項４】
前記収納部の底部に、前記シートの写真に対応する部分に凹部を設け、シートの写真が貼り付けられていない面で、かつ写真を貼り付けた部分を押して写真を貼り付けた部分以外の部分を吸引して取り出すことを特徴とする請求項１記載のシート自動給送方法。
【請求項５】
前記収納部の底部に、前記シートの写真に対応する部分に凹部を設け、シートの写真が貼り付けられていない面で、かつ写真を貼り付けた部分を押すと共に、写真を貼り付けた部分以外の部分を前記収納部の底面側から押し上げて吸引して取り出すことを特徴とする請求項１記載のシート自動給送方法。
【請求項６】
前記シートの写真が貼り付けられていない面で、かつ写真を貼り付けた部分以外のシートの端部を吸引して捲りながら分離して取り出すことを特徴とする請求項１記載のシート自動給送方法。
【請求項７】
前記シートの写真が貼り付けられていない面で、かつ写真を貼り付けた部分以外のシートの角部を吸引して捲りながら分離して取り出すことを特徴とする請求項１記載のシート自動給送方法。
【請求項８】
シートに貼り付けられた写真を画像入力手段で読み取ることで写真入りのＩＤカードを作成するＩＤカード作成装置において、前記写真を下向きとなるようにシートを収納する収納部と、この収納部のシートの写真が貼り付けられていない面を吸引して取り出す吸引取出手段と、この取り出されたシートを写真画像読み取り位置へ搬送するシート搬送手段とを備えることを特徴とするＩＤカード作成装置。
【請求項９】
前記吸引取出手段は、シートの写真が貼り付けられていない面で、かつ写真を貼り付けた部分を吸引して取り出し可能に構成されることを特徴とする請求項８記載のＩＤカード作成装置。
【請求項１０】
前記シートの写真が貼り付けられていない面で、かつ写真を貼り付けた部分を吸引して取り出す第１の吸引取出手段と、シートを吸引して取り出す給送中に、写真が貼り付けられていない面で、かつ写真を貼り付けた部分以外の部分を吸引する第２の吸引取出手段とを有することを特徴とする請求項８記載のＩＤカード作成装置。
【請求項１１】
前記収納部の底部に、前記シートの写真に対応する部分に凹部を設け、シートの写真が貼り付けられていない面で、かつ写真を貼り付けた部分を押す押圧手段と、写真を貼り付けた部分以外の部分を吸引して取り出す吸引取出手段とを有することを特徴とする請求項８記載のＩＤカード作成装置。
【請求項１２】
前記収納部の底部に、前記シートの写真に対応する部分に凹部を設け、シートの写真が貼り付けられていない面で、かつ写真を貼り付けた部分を押す押圧手段と、この押圧に連動して写真を貼り付けた部分以外の部分を前記収納部の底面側から押し上げる押上手段と、この押し上げられたシートを吸引して取り出す吸引取出手段とを有することを特徴とする請求項８記載のＩＤカード作成装置。
【請求項１３】
前記シートの写真が貼り付けられていない面で、かつ写真を貼り付けた部分以外のシートの端部を吸引して捲りながら分離して取り出す吸引取出手段を有することを特徴とする請求項８記載のＩＤカード作成装置。
【請求項１４】
前記シートの写真が貼り付けられていない面で、かつ写真を貼り付けた部分以外のシートの角部を吸引して捲りながら分離して取り出す吸引取出手段を有することを特徴とする請求項８記載のＩＤカード作成装置。
【発明の詳細な説明】
【０００１】
【産業上の利用分野】
この発明は、シート自動給送方法及びＩＤカード作成装置に係り、例えば写真を貼り付けたシートから写真入りのＩＤカードを作成するためのシート自動給送方法及びＩＤカード作成装置に関する。
【０００２】
【従来の技術】
例えば、ＩＤカードとして、例えば学生証、身分証明証、クレジットカード、運転免許証、登録証明書等があり、このＩＤカードには、写真等の画像情報及び氏名、住所その他の文字、記号、符号等の可視情報を記録体に撮影して作成される。
【０００３】
例えば、従来の運転免許証の作成は銀塩写真方式であるため、申請者から提出された申請書を基に、１枚ずつ免許番号の照会登録後、申請書をプリンタに挿入することで申請書上の免許証フォーマットが印刷された部分に免許番号等の必要情報が印字される。又は連続的に免許番号の照会登録を行なうことで、免許証フォーマットが印刷された撮影台紙に免許番号等の必要情報が印字されて台紙となって発行される。
【０００４】
電子写真システムにより例えば台紙である証紙や写真が貼られた申請書の自動搬送を行う場合に複写機等で堆積した写真を貼り付けた申請書を１枚ずつフィードする際、従来の方法として、最上部の申請書の表面にゴムローラを密着させ、その摩擦にて申請書を引き出し、その後２枚以上引き出された場合に備え、ゴムと申請書との摩擦力と申請書同士の摩擦力との差を利用した分離ローラにて１枚だけ搬送路に送り込む方法や、吸盤にて吸着させる際に堆積した申請書のサイドから高圧空気を吹き付けて分離する方法等がある。
【０００５】
【発明が解決しようとする課題】
ところで、ローラによる分離・給送方式は、免許証作成用の帳票のような写真や証紙が貼られたものでは、摩擦により写真等が剥れたり、損傷したりする危険がある。
【０００６】
また、吸盤給送方式で高圧エアーを吹き付けて分離する方法では、高圧空気発生装置を設ける等コストアップや装置の複雑化の問題がある。ただ、吸盤で吸着しただけでは、紙の場合吸盤の吸着エアーが１枚目の紙を抜け、その下の紙まで吸い上げてしまう問題がある。
【０００７】
また、台紙のような短冊状の帳票に写真を貼ったものをトレーに堆積すると、写真が貼られて盛り上がった状態のところで給送ローラの密着、吸盤での吸着を行なわねばならず、給送時の曲がり、吸着不良が起こる問題がある。
【０００８】
さらに、写真が貼られているのは幅手中央付近１ヶ所の場合が多いため、カールの大きい台紙の場合、吸盤吸着状態での給送中に、搬送入口のガイド等と干渉することでの給送不良や曲がりを引き起こす問題がある。
【０００９】
この発明は、かかる点に鑑みてなされたもので、写真を汚したり、傷をつけたり、さらには確実に取り出すことができるシート自動給送方法及びＩＤカード作成装置を提供することを目的としている。
【００１０】
【課題を解決するための手段】
前記課題を解決し、かつ目的を達成するために、請求項１記載の発明は、写真を貼り付けたシートを複数収納した収納部から１枚ずつ取り出すシート自動給送方法において、前記収納部に写真を下向きとなるようにシートを収納し、このシートの写真が貼り付けられていない面を吸引して取り出すことを特徴としている。
【００１１】
請求項２記載の発明は、前記シートの写真が貼り付けられていない面で、かつ写真を貼り付けた部分を吸引して取り出すことを特徴としている。
【００１２】
請求項３記載の発明は、前記シートの写真が貼り付けられていない面で、かつ写真を貼り付けた部分を吸引して取り出し、このシートを吸引して取り出す給送中に、写真が貼り付けられていない面で、かつ写真を貼り付けた部分以外の部分を吸引することを特徴としている。
【００１３】
請求項４記載の発明は、前記収納部の底部に、前記シートの写真に対応する部分に凹部を設け、シートの写真が貼り付けられていない面で、かつ写真を貼り付けた部分を押して写真を貼り付けた部分以外の部分を吸引して取り出すことを特徴としている。
【００１４】
請求項５記載の発明は、前記収納部の底部に、前記シートの写真に対応する部分に凹部を設け、シートの写真が貼り付けられていない面で、かつ写真を貼り付けた部分を押すと共に、写真を貼り付けた部分以外の部分を前記収納部の底面側から押し上げて吸引して取り出すことを特徴としている。
【００１５】
請求項６記載の発明は、前記シートの写真が貼り付けられていない面で、かつ写真を貼り付けた部分以外のシートの端部を吸引して捲りながら分離して取り出すことを特徴としている。
【００１６】
請求項７記載の発明は、前記シートの写真が貼り付けられていない面で、かつ写真を貼り付けた部分以外のシートの角部を吸引して捲りながら分離して取り出すことを特徴としている。
【００１７】
請求項８記載の発明は、シートに貼り付けられた写真を画像入力手段で読み取ることで写真入りのＩＤカードを作成するＩＤカード作成装置において、前記写真を下向きとなるようにシートを収納する収納部と、この収納部のシートの写真が貼り付けられていない面を吸引して取り出す吸引取出手段と、この取り出されたシートを写真画像読み取り位置へ搬送するシート搬送手段とを備えることを特徴としている。
【００１８】
請求項９記載の発明は、前記吸引取出手段が、シートの写真が貼り付けられていない面で、かつ写真を貼り付けた部分を吸引して取り出し可能に構成されることを特徴としている。
【００１９】
請求項１０記載の発明は、前記シートの写真が貼り付けられていない面で、かつ写真を貼り付けた部分を吸引して取り出す第１の吸引取出手段と、シートを吸引して取り出す給送中に、写真が貼り付けられていない面で、かつ写真を貼り付けた部分以外の部分を吸引する第２の吸引取出手段とを有することを特徴としている。
【００２０】
請求項１１記載の発明は、前記収納部の底部に、前記シートの写真に対応する部分に凹部を設け、シートの写真が貼り付けられていない面で、かつ写真を貼り付けた部分を押す押圧手段と、写真を貼り付けた部分以外の部分を吸引して取り出す吸引取出手段とを有することを特徴としている。
【００２１】
請求項１２記載の発明は、前記収納部の底部に、前記シートの写真に対応する部分に凹部を設け、シートの写真が貼り付けられていない面で、かつ写真を貼り付けた部分を押す押圧手段と、この押圧に連動して写真を貼り付けた部分以外の部分を前記収納部の底面側から押し上げる押上手段と、この押し上げられたシートを吸引して取り出す吸引取出手段とを有することを特徴としている。
【００２２】
請求項１３記載の発明は、前記シートの写真が貼り付けられていない面で、かつ写真を貼り付けた部分以外のシートの端部を吸引して捲りながら分離して取り出す吸引取出手段を有することを特徴としている。
【００２３】
請求項１４記載の発明は、前記シートの写真が貼り付けられていない面で、かつ写真を貼り付けた部分以外のシートの角部を吸引して捲りながら分離して取り出す吸引取出手段を有することを特徴としている。
【００２４】
【作用】
請求項１及び請求項８記載の発明では、収納部に写真を下向きとなるようにシートを収納し、このシートの写真が貼り付けられていない面を吸引して収納部から１枚ずつ取り出す。
【００２５】
請求項２及び請求項９記載の発明では、シートの写真が貼り付けられていない面で、かつ写真を貼り付けた部分を吸引して取り出す。
【００２６】
請求項３及び請求項１０記載の発明では、シートの写真が貼り付けられていない面で、かつ写真を貼り付けた部分を吸引して取り出し、このシートを吸引して取り出す給送中に写真を貼り付けた部分以外の部分を吸引する。
【００２７】
請求項４及び請求項１１記載の発明では、シートの写真が貼り付けられていない面で、かつ写真を貼り付けた部分を押すと、収納部の底部の凹部にシートの写真を貼り付けた部分が入り、写真を貼り付けた部分以外の部分が浮き上がることを利用して吸引して取り出す。
【００２８】
請求項５及び請求項１２記載の発明では、シートの写真が貼り付けられていない面で、かつ写真を貼り付けた部分を押すと、収納部の底部の凹部にシートの写真を貼り付けた部分が入り、これと同時に写真を貼り付けた部分以外の部分を収納部の底面側から押し上げて吸引して取り出す。
【００２９】
請求項６及び請求項１３記載の発明では、シートの写真が貼り付けられていない面で、かつ写真を貼り付けた部分以外のシートの端部を吸引して捲りながら分離して取り出す。
【００３０】
請求項７及び請求項１４記載の発明では、シートの写真が貼り付けられていない面で、かつ写真を貼り付けた部分以外のシートの角部を吸引して捲りながら分離して取り出す。
【００３１】
【実施例】
以下、この発明のシート自動給送方法及びＩＤカード作成装置の実施例を図面に基づいて詳細に説明する。この実施例では、ＩＤカードとして運転免許証を作成する場合について説明するが、ＩＤカードとしては、学生証、身分証明証、クレジットカード、登録証明書等があり、これらのＩＤカードの作成についても同様に適用される。
【００３２】
図１は運転免許証を作成する場合のフローを説明する概略図である。運転免許証の交付を受ける申請者１は、警察署２において申請書３に所定事項を記入し、写真４を貼付して提出する。申請書３を各警察署２で受付ける時、専用スタンプで申請書３の所定位置に登録番号１２を押印して免許センター５へ送付する。
【００３３】
免許センター５において、番号登録装置６で免許番号を登録し、プリンタ７に申請書を挿入して所定位置に免許番号８を印字する。免許番号８が印字された申請書３を複写撮影装置１０にセットし、この複写撮影装置１０において免許番号と貼付された写真４から画像を撮影することで、運転免許証を作成するための情報を取り込む。
【００３４】
また、台紙９を使用する場合には、免許センター５で免許番号８とその他氏名、生年月日等必要な情報が印字された印字された連続台紙が発行され、台紙９毎にミシン目で切り離され、申請書３に添付された写真４を所定の位置に貼り替える。この写真４の貼られた台紙９を複写撮影装置１０にセットし、台紙９の写真４と免許番号８から画像を読取り、運転免許証を作成するための情報を取り込む。
【００３５】
複写撮影装置１０から読み込まれた情報を免許証プリンタ１１へ出力し、免許証プリンタ１１で運転免許証の作成を行なう。免許センター５で作成された運転免許証は、警察署２へ送付され、警察署２で申請者１は運転免許証を受け取る。
【００３６】
次に、この発明のＩＤカード作成装置の実施例について説明する。図２はＩＤカード作成装置の構成図である。ＩＤカード作成装置２０は、帳票に記載された免許番号等を読取ると共に、シートの台紙に貼付された写真を読取ることでＩＤカードである運転免許証を作成するための情報を取り込む。ＩＤカード作成装置２０には、上部に自動供給部３０が、その下部に番号読取部４０が、その下部に写真読取部５０が、その下部に情報読取部６０が配置されている。
【００３７】
自動供給部３０には、帳票である申請書を供給する申請書供給部３１と、カード状のシートの台紙を供給する台紙供給部３２とが備えられている。申請書供給部３１には申請書トレー３３がセットされ、台紙供給部３２には収納部を構成する台紙トレー３４がセットされる。申請書トレー３３からの申請書と、台紙トレー３４からの台紙を搬送する共通の搬送部７０が備えられ、この搬送部７０の搬送路７１に沿って免許番号等を読み取る番号読取部４０と、写真を読取る写真読取部５０とが配置されている。
【００３８】
番号読取部４０には、ＯＣＲリーダ４１が備えられ、ＯＣＲリーダ４１により免許番号等を読み取り、この読取情報は解読部４２で解読されてＣＰＵ５４に送られ、ＣＰＵ５４から処理部２１へ送られる。
【００３９】
写真読取部５０には、ＣＣＤカメラ５１が備えられ、ＣＣＤカメラ５１により写真を読取り、アナログ色信号を画像処理部５２へ送り、画像処理部５２で画像処理されて処理部２１へ送る。ＣＣＤカメラ５１には照明灯５３が備えられ、ＣＣＤカメラ５１はＣＰＵ５４で制御される。写真読取部５０には、台紙を情報読取部６０のスキャナー部６１の手前で分岐し排出する台紙排出部５５を備えており、切り替え弁５６の操作で搬送路７１を切り替え台紙をスキャナー部６１の手前で分岐し、台紙バケット５７へ排出する。
【００４０】
搬送部７０は、搬送路７１を搬送ローラ７２によって形成し、この搬送ローラ７２はステッピングモータ７３を駆動源とする動力伝達手段７４により駆動可能になっている。動力伝達手段７４は、例えばベルトで構成される。
【００４１】
情報読取部６０には、免許番号等及び写真の読取り後、申請書の記録情報を読み取るスキャナー部６１が備えられ、スキャナー部６１はＣＰＵ６２で制御され、読取情報はＣＰＵ６２により処理部２１へ送られる。スキャナー部６１により読取が終了した申請書は申請書バケット６３へ排出される。制御部２１では、免許番号を読取ると共に、写真を読取ることで運転免許証を作成するための情報を取り込み、免許証プリンタ２２へ出力して運転免許証を作成する。
【００４２】
従って、この複写撮影装置２０では、申請書の入った申請書トレー３３を申請書供給部３１にセットし、また台紙の入った台紙トレー３４を台紙供給部３２にセットし、このようにして申請書及び台紙をオートフィーダにセットすることができる。
【００４３】
例えば、申請書に免許番号が印字されている場合は、申請書の入った申請書トレー３３を申請書供給部３１にセットし、申請書のみ搬送すれば良い。また、台紙に写真が貼り替えられている場合は、台紙の入った台紙トレー３４を台紙供給部３２にセットし、台紙のみを搬送すれば良い。
【００４４】
そして、複写スタート指令により、申請書または台紙が１枚ずつフィードされ、搬送ローラ７２によって免許番号の印刷されている位置がＯＣＲリーダ４１に到達する迄搬送される。その位置で停止し、ＯＣＲリーダ４１により免許番号が読取られる。その後、写真位置がＣＣＤカメラ５１に到達する迄搬送され、停止して、ＣＣＤカメラ５１により顔画像が読込まれる。
【００４５】
このように、シートの台紙に貼り付けられた写真を画像入力手段で読み取ることで写真入りのＩＤカードを作成するＩＤカード作成装置は、写真を下向きとなるようにシートを収納する収納部と、この収納部のシートの写真が貼り付けられていない面を吸引して取り出す吸引取出手段と、この取り出されたシートを写真画像読み取り位置へ搬送するシート搬送手段とを備えている。
【００４６】
まず、図３乃至図５の実施例について説明する。図３は収納部の平面図、図４は台紙を取り出す状態を示す図、図５は台紙を取り出す他の実施例を示す図である。シートの台紙９には中央部に写真４が貼り付けられ、この台紙９を写真４を貼り付けた面を下向きで収納部の台紙トレー３４に収納する。このように、写真を下向きとなるようにシートを収納する収納部の台紙トレー３４と、この台紙トレー３４の台紙９の写真４が貼り付けられていない面を吸引して取り出す吸引取出手段Ａとを備えている。即ち、その際、申請書３の場合とは異なり、台紙９に貼り付けられている写真４が吸引取出手段Ａとしての吸盤吸着機構部材８０のあるトレー下部付近で幅手ほぼセンターにくることを利用して、写真４を貼り付けた部分を裏面より吸盤８１で吸着する。通常、台紙９を吸盤８１で吸着すると、台紙９は紙であり、ミクロ的に見ると微小な穴があいているようなもので、エアーが１枚目を通過して複数枚吸いつけてしまう問題があるが、写真４を貼り付けた部分を裏面より吸着することにより、写真部でエアーが遮断されるため複数枚吸いつけられるという問題がなくなる。
【００４７】
このように、吸引取出手段Ａが、台紙９の写真４が貼り付けられていない面で、かつ写真４を貼り付けた部分を吸引して取り出し可能に構成されており、台紙９を写真４が下になるように台紙トレー３４に堆積し、写真４の貼ってある位置を吸盤８１で吸着することにより給送する。従って、写真４が貼り付けられた台紙９のようなものでも、写真４の貼ってある部分に密着させるため、密着の安定性確保が可能になる。
【００４８】
しかし、この際、図４の実施例では、吸盤８１が幅手中央付近一ヶ所のため吸着した際、台紙９のカールが大きい場合には両端のたわみが大きくなることで、搬送部への供給の際に入り口ガイド開口部と干渉して曲がりや吸着外れを起こす可能性がある。そこで、図５に示すように、台紙９の写真が貼り付けられていない面で、かつ写真を貼り付けた部分を吸引して取り出す第１の吸引取出手段Ｂと、台紙９を吸引して取り出す給送中に、写真が貼り付けられていない面で、かつ写真を貼り付けた部分以外の部分を吸引する第２の吸引取出手段Ｃとを有している。両サイドに第２の吸引取出手段Ｃとしての吸引ファン８２を取り付けて、吸盤８１で台紙９を吸着して持ち上げた後にサイドを吸引してたわみを矯正する。
【００４９】
このように、図５に示すように、第１の吸引取出手段Ｂと、第２の吸引取出手段Ｃとを有しており、台紙９の写真が貼り付けられていない面で、かつ写真を貼り付けた部分の位置で吸着後、給送する際に、写真添付位置以外の部分を１ヶ所以上吸引ファン８２で吸い付け、写真位置１ヶ所で吸盤吸着した場合の吸着していない部分のたわみを抑えることにより、搬送路への給送中に、搬送開口部入口ガイド等へ帳票が接触することなく、安定した給送が可能である。
【００５０】
次に、図６乃至図８の実施例について説明する。図６は台紙を取り出す状態を示す図、図７は台紙を取り出す他の実施例を示す図、図８は台紙を取り出すさらに他の実施例を示す図である。
【００５１】
図６の実施例では、収納部の台紙トレー３４の底部に、台紙９の写真４に対応する部分に台部８６を取り付けて凹部３４ａを設け、台紙９の写真４が貼り付けられていない面で、かつ写真を貼り付けた部分を押す押圧手段Ｄとしてのセンターピン８５と、写真４を貼り付けた部分以外の部分を吸引して取り出す吸引取出手段Ｅとしての吸盤８７とを有している。台紙９の写真４が貼り付けられていない面で、かつ写真を貼り付けた部分をセンターピン８５により押すと、台紙トレー３４の凹部３４ａに台紙９の写真４を貼り付けた部分が入り、写真４を貼り付けた部分以外の部分が浮き上がりるため吸盤８７により吸引して取り出すことができる。
【００５２】
即ち、幅手中央付近に写真４の添付された台紙９を台紙トレー３４に堆積させると、図４及び図５のように写真４の部分が盛り上がり、台紙９の両サイドを吸盤８７で吸着する際支障になる。そこで、図６に示すように写真位置に相当する台紙トレー３４の底部に台部９を取り付けて窪みの凹部３４ａを設け、さらに、吸盤用ブラケット８８には、写真を押し付けるような位置に押圧手段Ｄとしてのセンターピン８５を取り付けている。
【００５３】
この状態で、図６（ａ）のように吸盤８７を下降していくと、図６（ｂ）のように写真４が貼り付けられている部分がセンターピン８５に押し付けられ、凹部３４ａの窪みの中へ写真４が沈み込んでいく。この際、台紙９の両サイドは台紙の腰の強さにより浮き上がり、最上層の台紙９が吸盤８７に密着する。この状態で吸盤８７を上昇させると写真４の押付力が開放され、台紙９は元の状態に復元する。この復元力により最上層の吸盤８７で吸着した台紙９以外は下方へ戻ろうとすることにより分離する。また、台紙９の堆積数が少なくなった時や、台紙９の腰の強さが不足する等で分離が不十分な場合でも台紙９は下へ凸の状態で吸盤８７に吸着されているためあおり動作が容易に行なえる形状になっている。また、図７の実施例では、吸盤８７ではなく吸引ファン８９を使用した場合の例を示す。
【００５４】
図８には吸盤８７の密着性を上げるため、台紙トレー３４側から押上ピン９０にて台紙９を突き上げる例を示す。即ち、台紙９の写真４が貼り付けられていない面で、かつ写真を貼り付けた部分を押す押圧手段Ｄとしてのセンターピン８５と、この押圧に連動して写真を貼り付けた部分以外の部分を台紙トレー３４の底面側から押し上げる押上手段Ｆとしての押上ピン９０と、この押し上げられたシートを吸引して取り出す吸引取出手段Ｇとしての吸盤８７とを有している。従って、台紙９の写真４が貼り付けられていない面で、かつ写真４を貼り付けた部分をセンターピン８５により押すと、台紙トレー３４の底部の凹部３４ａに台紙９の写真４を貼り付けた部分が入り、これと同時に写真４を貼り付けた部分以外の部分を台紙トレー３４の底面側から押上ピン９０により押し上げて吸盤８７により吸引して取り出すことができる。
【００５５】
このように、吸盤８７の下降とともに、押上ピン９０が台紙９に添付された写真を裏面から押し付けることにより、幅手中央付近の写真４の添付部分に相当する台紙トレー３４の底面は窪みがあるため、写真４がその窪みに沈み込むことに伴い台紙９の両サイドは浮き上がる。この浮き上がりにて台紙９を吸盤８７に密着させる。よって、写真４の添付された台紙９を堆積した場合、写真４の部分が盛り上がるようになった状態になっても、台紙９の両サイドを安定して吸盤にて吸着可能である。さらに、吸盤８７で吸着した状態は下に凸になるため、吸着した状態があおり動作をしたと同じ効果を持つため分離性が向上する。これ以上にあおり動作が必要な場合でも容易にあおり動作ができる状態になっている。
【００５６】
次に、図９乃至図１１の実施例について説明する。図９は申請書の収納状態を示している。シートしての申請書３には角部に写真４が貼り付けられ、この申請書３は写真４を貼り付けた面が下向きで収納部の申請書トレー３３に収納される。
【００５７】
図１０は申請書を取り出す実施例を示す図である。シートとしての申請書３の写真４が貼り付けられていない面で、かつ写真を貼り付けた部分以外の申請書３の端部３ａを吸引して捲りながら分離して取り出す吸引取出手段Ｇとしての吸盤９１を有し、申請書３の写真４が貼り付けられていない面で、かつ写真４を貼り付けた部分以外の申請書３の端部３ａを吸引して捲りながら分離して取り出すことができる。
【００５８】
申請書３を吸盤９１で給送する場合、申請書３は紙であるためミクロ的に見ると微小な孔があいているようなもので、吸引圧が最上層の申請書３を通り抜けて複数枚吸着してしまうため、図１０に示すように吸盤９１で最上層の申請書３を吸着後、めくる動作をすることで複数枚吸い上げた場合でも申請書３の間から吸引圧が逃げたり、申請書３が元に戻ろうとする力により分離させる方法がある。
【００５９】
その際、申請書３の幅Ｄ全体を後端に向かう形でめくるような動作を行う場合、分離に必要な曲率ρに曲げられるのに要する曲げモーメントＭは、以下の式で与えられる。
【００６０】
１／ρ＝Ｍ／ＥＩ
ただし、Ｅは申請書３の縦弾性係数
Ｉは申請書３の断面２次モーメント＝Ｄｔ3／１２
ｔは申請書３の紙厚
そこで、図１１に示すように、シートの写真４が貼り付けられていない面で、かつ写真を貼り付けた部分以外のシートの角部を吸引して捲りながら分離して取り出す吸引取出手段Ｇを有することで、台紙９の写真４が貼り付けられていない面で、かつ写真４を貼り付けた部分以外の申請書３の角部３ａを吸引して捲りながら分離して取り出すことができる。
【００６１】
このように、吸盤９２を申請書３の両角部３ｂにくるように配置し、めくる動作方向を斜め内側にすることにより重なった申請書３の間からの吸引空気圧が抜け易くなることで分離性が向上する。それに伴い曲げの曲率を小さくしなくても充分分離可能で、曲げる幅Ｗも全幅Ｄ１に比べ大幅に少なくできるため、少ない曲げモーメントで分離が可能になり、また分離機構のコンパクト化を図ることができる。
【００６２】
従って、申請書トレー３３に堆積させた申請書３を給送側に両エッジ付近を吸盤９２で吸着した後、斜め内側に向かってあおり動作をする。これによって、重なった申請書３の間から吸引空気圧が抜け易くなり、曲げの曲率をきつくしなくても吸盤９２で吸着した最上層の申請書３以外は吸引圧が開放され容易に分離する。それに伴い曲げ応力が少ない状態での分離が可能になるため分離機構のコンパクト化を図ることができる。
【００６３】
このように、申請書３の両エッジ付近で斜め内側に向かって、吸盤９２により吸着後あおり動作を行なうことにより、申請書３の紙厚が厚い場合でもあおり動作のために必要な曲げモーメントが少なく、またコンパクトな機構で分離が可能となる。
【００６４】
【発明の効果】
前記のように、請求項１及び請求項８記載の発明は、収納部に写真を下向きとなるようにシートを収納し、このシートの写真が貼り付けられていない面を吸引して収納部から１枚ずつ取り出すから、写真を傷けることがなく密着させて給送し、写真を汚したり、傷をつけたり、さらには確実に取り出すことができる。
【００６５】
請求項２及び請求項９記載の発明は、シートの写真が貼り付けられていない面で、かつ写真を貼り付けた部分を吸引して取り出すから、写真の貼ってある部分に密着させて吸引するため、密着の安定性確保及び曲がり給送の防止が可能になり、写真を汚したり、傷をつけたり、さらには確実に取り出すことができる。
【００６６】
請求項３及び請求項１０記載の発明は、シートの写真が貼り付けられていない面で、かつ写真を貼り付けた部分を吸引して取り出し、このシートを吸引して取り出す給送中に写真を貼り付けた部分以外の部分を吸引するから、写真位置一ヶ所で吸盤吸着した場合の吸着していない部分のたわみを抑えることにより、搬送路への給送中に、搬送開口部入口ガイド等へ帳票が接触することなく、安定した給送が可能である。
【００６７】
請求項４及び請求項１１記載の発明は、シートの写真が貼り付けられていない面で、かつ写真を貼り付けた部分を押すと、収納部の底部の凹部にシートの写真を貼り付けた部分が入り、写真を貼り付けた部分以外の部分が浮き上がることにより、シートを確実に吸引させることができる。
【００６８】
請求項５及び請求項１２記載の発明は、シートの写真が貼り付けられていない面で、かつ写真を貼り付けた部分を押すと、収納部の底部の凹部にシートの写真を貼り付けた部分が入り、これと同時に写真を貼り付けた部分以外の部分を収納部の底面側から押し上げて吸引して取り出すから、浮き上がることにより、シートを確実に吸引させることができる。
【００６９】
請求項６及び請求項１３記載の発明は、シートの写真が貼り付けられていない面で、かつ写真を貼り付けた部分以外のシートの端部を吸引して捲りながら分離して取り出すから、吸引後あおり動作を行なうことによりコンパクトな機構で分離が可能となる。
【００７０】
請求項７及び請求項１４記載の発明は、シートの写真が貼り付けられていない面で、かつ写真を貼り付けた部分以外のシートの角部を吸引して捲りながら分離して取り出すから、吸引後あおり動作を行なうことによりコンパクトな機構で分離が可能となる。
【図面の簡単な説明】
【図１】運転免許証を作成する場合のフローを説明する概略図である。
【図２】ＩＤカード作成装置の構成図である。
【図３】収納部の平面図である。
【図４】台紙を取り出す状態を示す図である。
【図５】台紙を取り出す他の実施例を示す図である。
【図６】台紙を取り出す状態を示す図である。
【図７】台紙を取り出す他の実施例を示す図である。
【図８】台紙を取り出すさらに他の実施例を示す図である。
【図９】申請書の収納状態を示している。
【図１０】申請書を取り出す実施例を示す図である。
【図１１】申請書を取り出す他の実施例を示す図である。
【符号の説明】
３  申請書
４  写真
９  台紙
２０  ＩＤカード作成装置
３１  申請書供給部
３３  申請書トレー
３４  台紙トレー
７０  搬送部
７１  搬送路
８０  吸盤吸着機構部材
８１  吸盤
Ａ  吸引取出手段
【図１】
0003543120.tif 000002
【図２】
0003543120.tif 000003
【図３】
0003543120.tif 000004
【図４】
0003543120.tif 000005
【図５】
0003543120.tif 000006
【図６】
0003543120.tif 000007
【図７】
0003543120.tif 000008
【図８】
0003543120.tif 000009
【図９】
0003543120.tif 000010
【図１０】
0003543120.tif 000011
【図１１】
0003543120.tif 000012